(57)【要約】【課題】端末装置と基地局装置との間において、情報が効率的に伝送されること。【解決手段】端末装置は、ＥＵＴＲＡの１つのサブフレームにおける第１のＰＤＣＣＨ候補のセットとＮＲの１つのスロットにおける第２のＰＤＣＣＨ候補のセットをモニタし、ＵＥ能力情報を送信し、前記ＵＥ能力情報は、端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。【選択図】図４
2019047412.tif 000002
【特許請求の範囲】
【請求項１】
ＥＵＴＲＡの１つのサブフレームにおける第１のＰＤＣＣＨ候補のセットとＮＲの１つのスロットにおける第２のＰＤＣＣＨ候補のセットをモニタする受信部と、
ＵＥ能力情報を送信する送信部と、を備え、
前記ＵＥ能力情報は、端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す端末装置。
【請求項２】
ＮＲの１つのスロットにおける第２のＰＤＣＣＨ候補のセットにおいて第２のＰＤＣＣＨを送信する他の基地局装置と接続されている基地局装置であって、
ＥＵＴＲＡの１つのサブフレームにおける第１のＰＤＣＣＨ候補のセットにおいて第１のＰＤＣＣＨを端末装置に送信する送信部と、
前記端末装置からＵＥ能力情報を受信する受信部と、を備え、
前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す基地局装置。
【請求項３】
ＥＵＴＲＡの１つのサブフレームにおける第１のＰＤＣＣＨ候補のセットにおいて第１のＰＤＣＣＨを端末装置に送信し、ＮＲの１つのスロットにおける第２のＰＤＣＣＨ候補のセットにおいて第２のＰＤＣＣＨを端末装置に送信する送信部と、
前記端末装置からＵＥ能力情報を受信する受信部と、を備え、
前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す基地局装置。
【請求項４】
端末装置の通信方法であって、
ＥＵＴＲＡの１つのサブフレームにおける第１のＰＤＣＣＨ候補のセットとＮＲの１つのスロットにおける第２のＰＤＣＣＨ候補のセットをモニタし、
ＵＥ能力情報を送信し、
前記ＵＥ能力情報は、端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す通信方法。
【請求項５】
ＮＲの１つのスロットにおける第２のＰＤＣＣＨ候補のセットにおいて第２のＰＤＣＣＨを送信する他の基地局装置と接続されている基地局装置の通信方法であって、
ＥＵＴＲＡの１つのサブフレームにおける第１のＰＤＣＣＨ候補のセットにおいて第１のＰＤＣＣＨを端末装置に送信し、
前記端末装置からＵＥ能力情報を受信し、
前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す通信方法。
【請求項６】
基地局装置の通信方法であって、
ＥＵＴＲＡの１つのサブフレームにおける第１のＰＤＣＣＨ候補のセットにおいて第１のＰＤＣＣＨを端末装置に送信し、ＮＲの１つのスロットにおける第２のＰＤＣＣＨ候補のセットにおいて第２のＰＤＣＣＨを端末装置に送信し、
前記端末装置からＵＥ能力情報を受信し、
前記ＵＥ能力情報は、前記端末装置によってサポートされる、前記第１のＰＤＣＣＨ候補のセットにおけるブラインドデコードの最大数Ａと前記第２のＰＤＣＣＨ候補のセット
におけるブラインドデコードの最大数Ｂの組み合わせを少なくとも示す通信方法。
【発明の詳細な説明】
【技術分野】
【０００１】
本発明は、端末装置、基地局装置、通信方法、および、集積回路に関する。
【背景技術】
【０００２】
第三世代パートナーシッププロジェクト（3rd Generation Partnership Project: 3GPP）は、第４世代のセルラー移動通信の無線アクセス方式（以下、「Long Term Evolution （LTE、登録商標）」、または、「Evolved Universal Terrestrial Radio Access : EUTRA」と称する。）の標準化作業を行っている（非特許文献１、２、３）。
【０００３】
３ＧＰＰにおいて、第５世代のセルラー移動通信の無線アクセス方式（以下、「NR: New Radio」と称する。）の標準化作業を行っている（非特許文献４、５、６、７）。
【０００４】
ＬＴＥとＮＲにおいて端末装置をＵＥ（User Equipment）と称する。ＬＴＥにおいて基地局装置をｅＮＢとも称する。すなわち、ｅＮＢはＥＵＴＲＡアクセスを提供する。ＮＲにおいて基地局装置をｇＮＢと称する。すなわち、ｇＮＢはＮＲアクセスを提供する。
【０００５】
非特許文献８には、ＭＲ−ＤＣ（Multi Radio access technology Dual Connectivity
）について記載されている。ＭＲ−ＤＣにおいて、複数の受信機と複数の送信機を持つ端末装置は２つの異なるノード（ｅＮＢとｇＮＢ）における２つの個別のスケジューラによって提供される無線リソースを利用する。１つのスケジューラはｅＮＢに配置され、他方のスケジューラはｇＮＢに配置される。ＭＲ−ＤＣにおいて、ｅＮＢとｇＮＢはバックホールを介してコネクトされている。ＭＣ−ＤＣにおいて、ｇＮＢとｅＮＢの少なくとも一方はコアネットワークとコネクトされる。
【先行技術文献】
【非特許文献】
【０００６】
【非特許文献１】"3GPP TS 36.211 V14.3.0 (2017-06)", 23rd June, 2017.
【非特許文献２】"3GPP TS 36.212 V14.3.0 (2017-06)", 23rd June, 2017.
【非特許文献３】"3GPP TS 36.213 V14.3.0 (2017-06)", 23rd June, 2017.
【非特許文献４】"3GPP TS 38.212 V0.1.1 (2017-07) ", R1-1712011, 14th July, 2017.
【非特許文献５】"3GPP TS 38.212 V0.0.1 (2017-07) ", R1-1712014, 14th July, 2017.
【非特許文献６】"3GPP TS 38.213 V0.0.1 (2017-07) ", R1-1712015, 15th July, 2017.
【非特許文献７】"3GPP TS 38.214 V0.0.1 (2017-07) ", R1-1712016, 14th July, 2017.
【非特許文献８】"3GPP TS 37.340 V0.2.0 (2017-06) ", 5th June, 2017.
【発明の概要】
【発明が解決しようとする課題】
【０００７】
本発明は効率的に情報が伝送される無線通信システム、該無線通信システムの基地局装置、該無線通信システムの基地局装置、該端末装置に用いられる通信方法、該基地局装置に用いられる通信方法、該端末装置に実装される集積回路、該基地局装置に実装される集積回路を提供する。
【課題を解決するための手段】
【０００８】
（１）本発明の態様は、以下のような手段を講じた。すなわち、本発明の第１の態様は、端末装置であって、ＥＵＴＲＡの１つのサブフレームにおける第１のＰＤＣＣＨ候補のセットとＮＲの１つのスロットにおける第２のＰＤＣＣＨ候補のセットをモニタする受信部と、ＵＥ能力情報を送信する送信部と、を備え、前記ＵＥ能力情報は、端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【０００９】
（２）本発明の第２の態様は、ＮＲの１つのスロットにおける第２のＰＤＣＣＨ候補のセットにおいて第２のＰＤＣＣＨを送信する他の基地局装置と接続されている基地局装置であって、ＥＵＴＲＡの１つのサブフレームにおける第１のＰＤＣＣＨ候補のセットにおいて第１のＰＤＣＣＨを端末装置に送信する送信部と、前記端末装置からＵＥ能力情報を受信する受信部と、を備え、前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【００１０】
（３）本発明の第３の態様は、基地局装置であって、ＥＵＴＲＡの１つのサブフレームにおける第１のＰＤＣＣＨ候補のセットにおいて第１のＰＤＣＣＨを端末装置に送信し、ＮＲの１つのスロットにおける第２のＰＤＣＣＨ候補のセットにおいて第２のＰＤＣＣＨを端末装置に送信する送信部と、前記端末装置からＵＥ能力情報を受信する受信部と、を備え、前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【００１１】
（４）本発明の第４の態様は、端末装置の通信方法であって、ＥＵＴＲＡの１つのサブフレームにおける第１のＰＤＣＣＨ候補のセットとＮＲの１つのスロットにおける第２のＰＤＣＣＨ候補のセットをモニタし、ＵＥ能力情報を送信し、前記ＵＥ能力情報は、端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【００１２】
（５）本発明の第５の態様は、ＮＲの１つのスロットにおける第２のＰＤＣＣＨ候補のセットにおいて第２のＰＤＣＣＨを送信する他の基地局装置と接続されている基地局装置の通信方法であって、ＥＵＴＲＡの１つのサブフレームにおける第１のＰＤＣＣＨ候補のセットにおいて第１のＰＤＣＣＨを端末装置に送信し、前記端末装置からＵＥ能力情報を受信し、前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【００１３】
（６）本発明の第６の態様は、基地局装置の通信方法であって、ＥＵＴＲＡの１つのサブフレームにおける第１のＰＤＣＣＨ候補のセットにおいて第１のＰＤＣＣＨを端末装置に送信し、ＮＲの１つのスロットにおける第２のＰＤＣＣＨ候補のセットにおいて第２のＰＤＣＣＨを端末装置に送信し、前記端末装置からＵＥ能力情報を受信し、前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【発明の効果】
【００１４】
この発明によれば、ネットワークと端末装置との間で効率的に情報が伝送される。
【図面の簡単な説明】
【００１５】
【図１】本実施形態の無線通信システムの概念図である。
【図２】本実施形態の無線フレームの構成の一例を示す図である。
【図３】本実施形態のスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるセカンダリーノードを追加するための手順の一例を示す図である。
【図７】本実施形態におけるＰＤＣＣＨ候補のセットの一例を示す図である。
【発明を実施するための形態】
【００１６】
以下、本発明の実施形態について説明する。
【００１７】
図１は、本実施形態の無線通信システムの概念図である。図１において、無線通信システムは、端末装置１、および、ネットワーク３Ａを具備する。ネットワーク３Ａは、コアネットワーク装置３Ｂ、マスターノード３Ｃ、および、セカンダリーノード３Ｄを含んでもよい。マスターノードはｅＮＢとｇＮＢの一方であり、セカンダリーノード３ＤはｇＮＢとｅＮＢの他方である。例えば、マスターノードはｅＮＢであり、且つ、セカンダリーノード３ＤはｇＮＢである。例えば、マスターノード３ＣはｇＮＢであり、且つ、セカンダリーノード３ＤはｅＮＢである。ｅＮＢはＬＴＥ（ＥＵＴＲＡ）アクセスを提供する。ｇＮＢはＮＲアクセスを提供する。マスターノード３Ｃ、セカンダリーノード３Ｄ、ｅＮＢ、および、ｇＮＢを、基地局装置３とも称する。端末装置１、および、基地局装置３を、無線通信装置とも称する。本実施形態においてＥＵＴＲＡを第１の無線アクセス技術とも称する。本実施形態においてＮＲを第２の無線アクセス技術とも称する。
【００１８】
ＭＲ（Multi Radio access technology）−ＤＣ（Dual Connectivity）において、端末装置１は、２つの異なる基地局装置（ｅＮＢとｇＮＢ）における２つの個別のスケジューラによって提供される無線リソース２Ａ、２Ｂを同時に利用する。ＭＲ−ＤＣをＭＣ（Multi Connectivity）とも称する。１つのスケジューラはｅＮＢに配置され、他方のスケジューラはｇＮＢに配置される。ｅＮＢとｇＮＢの何れか１つはマスターノード３Ｃであり、ｅＮＢとｇＮＢの他方はセカンダリーノード３Ｄである。マスターノード３Ｃは、インタフェース２Ｄを介してコアネットワーク装置３Ｂとコネクトされる。インタフェース２Ｄはコントロールプレーンコネクション（control plane connection）を含む。マスターノード３Ｃとセカンダリーノード３Ｄはバックホール２Ｃを介してコネクトされている。マスターノード３Ｃとして動作するｅＮＢをマスターｅＮＢとも称する。マスターノード３Ｃとして動作するｇＮＢをマスターｇＮＢとも称する。セカンダリーノード３Ｄとして動作するｅＮＢをセカンダリーｅＮＢとも称する。セカンダリーノード３Ｄとして動作するｇＮＢをセカンダリーｇＮＢとも称する。
【００１９】
ＭＲ−ＤＣは、ＥＮ−ＤＣ（EUTRA NR Dual Connectivity）とＮＥ−ＤＣ（NR EUTRA Dual Connectivity）を含む。ＥＮ−ＤＣにおいて、端末装置１はマスターｅＮＢとセカンダリーｇＮＢと同時にコネクトされ、マスターｅＮＢはインタフェース２Ｄを介してコアネットワーク装置３Ｂとコネクトされる。ＮＥ−ＤＣにおいて、端末装置１はマスターｇＮＢとセカンダリーｅＮＢと同時にコネクトされ、マスターｇＮＢはインタフェース２Ｄを介してコアネットワーク装置３Ｂとコネクトされる。
【００２０】
端末装置１の状態は、コネクション確立（connection establishment）プロシージャによって、ＲＲＣ＿ＩＤＬＥからＲＲＣ＿ＣＯＮＮＥＣＴＥＤに変更されてもよい。端末装置１の状態は、コネクション解放（connection release）プロシージャによって、ＲＲＣ
＿ＣＯＮＮＥＣＴＥＤからＲＲＣ＿ＩＤＬＥに変更されてもよい。
【００２１】
ＲＲＣ＿ＣＯＮＮＥＣＴＥＤの端末装置１に対して１つまたは複数のサービングセルが設定されてもよい。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００２２】
１つまたは複数のサービングセルのそれぞれはマスターノード３Ｃまたはセカンダリーノード３Ｄの何れか一方に属する。マスターノード３Ｃに属するサービングセルのグループをＭＣＧ（Master Cell Group）と称する。セカンダリーノード３Ｄに属するサービン
グセルのグループをＳＣＧ（Secondary Cell Group）と称する。
【００２３】
ＭＣＧに属する１つまたは複数のサービングセルは、１つのプライマリーセルと０または０より多いセカンダリーセルを含んでもよい。プライマリーセルは、初期コネクション確立（initial connection establishment）プロシージャが行なわれたセル、コネクション再確立（connection re-establishment）プロシージャを開始したセル、または、ハン
ドオーバプロシージャにおいてプライマリーセルと指示されたセルである。ＲＲＣ（Radio Resource Control）コネクションが確立された時点、または、後に、セカンダリーセルが設定されてもよい。
【００２４】
ＳＣＧに属する１つまたは複数のサービングセルは、１つのプライマリーセカンダリーセルと０または０より多いセカンダリーセルを含んでもよい。ＳＣＧに属する１つまたは複数のサービングセルは、セカンダリーノード３Ｄを追加するための手順において追加される。
【００２５】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２６】
端末装置１は、複数のサービングセル（コンポーネントキャリア）において、複数の物理チャネル／複数の物理シグナルの同時送信を行うことができる。端末装置１は、複数のサービングセル（コンポーネントキャリア）において、複数の物理チャネル／複数の物理シグナルの同時受信を行うことができる。
【００２７】
図２は、本実施形態の無線フレームの構成の一例を示す図である。図２において、横軸は時間軸である。
【００２８】
それぞれの無線フレームは、時間領域において連続する１０のサブフレームを含んでもよい。それぞれのサブフレームｉは、時間領域において連続する２つのスロットを含んでもよい。該時間領域において連続する２つのスロットは、無線フレーム内のスロット番号nsが２ｉのスロット、および、無線フレーム内のスロット番号nsが２ｉ＋１のスロットであってもよい。それぞれの無線フレームは、時間領域において連続する１０のサブフレームを含んでもよい。それぞれの無線フレームは、時間領域において連続する２０のスロット（ns=0,1,…,19）を含んでもよい。上記の無線フレームの構成は、上りリンク、および、下りリンクの両方に適用されてもよい。
【００２９】
１つのサブフレームは１つのスロットであってもよい。
【００３０】
以下、本実施形態のスロットの構成について説明する。図３は、本実施形態のスロット
の概略構成を示す図である。図３において、１つのサービングセルにおけるスロットの構成を示す。図３において、横軸は時間軸であり、縦軸は周波数軸である。図３において、ｌはシンボル番号／インデックスであり、ｋはサブキャリア番号／インデックスである。ここで、シンボルは、ＯＦＤＭ（Orthogonal Frequency Division Multiplexing）シンボル、または、ＳＣ−ＦＤＭＡ（Single Carrier Frequency Division Multiple Access）
シンボルであってもよい。NSCは、セルの帯域幅に含まれるサブキャリアの総数である。Nsymbは、１つのスロットに含まれるシンボルの総数である。Nsymbは、サブキャリア間隔
（subcarrier spacing）に基づいて与えられてもよい。
【００３１】
スロットのそれぞれにおいて送信される物理シグナルまたは物理チャネルは、リソースグリッドによって表現される。リソースグリッドは複数のサブキャリアと複数のシンボルによって定義される。リソースグリッド内のエレメントのそれぞれをリソースエレメントと称する。リソースエレメントａｋ，ｌは、サブキャリア番号／インデックスｋ、および、シンボル番号／インデックスｌによって表される。すなわち、物理シグナルまたは物理チャネルの送信のためのリソースは、リソースエレメントによって表現されてもよい。
【００３２】
リソースグリッドは、アンテナポート毎に定義されてもよい。本実施形態では、１つのアンテナポートに対する説明を行う。複数のアンテナポートのそれぞれに対して、本実施形態が適用されてもよい。
【００３３】
無線フレーム、サブフレーム、および、スロットは時間ユニットである。
【００３４】
ＥＵＴＲＡとＮＲの無線フレームの構成は異なってもよい。ＥＵＴＲＡの無線フレームの長さは、ＮＲの無線フレームの長さと同じでもよいし、異なってもよい。ＥＵＴＲＡのスロットの長さは、ＮＲのスロットの長さと同じでもよいし、異なってもよい。ＥＵＴＲＡのＯＦＤＭシンボルの長さは、ＮＲのＯＦＤＭシンボルの長さと同じでもよいし、異なってもよい。
【００３５】
本実施形態の物理チャネルおよび物理シグナルについて説明する。
【００３６】
図１において、ｅＮＢから端末装置１への下りリンク２Ａの無線通信では、以下の下りリンク物理チャネルが用いられる。図１において、ｇＮＢから端末装置１への下りリンク２Ｂの無線通信では、以下の下りリンク物理チャネルが用いられる。下りリンク物理チャネルは、上位層から出力された情報を送信するために、物理層によって使用される。
・ＰＤＣＣＨ（Physical Downlink Control Channel）
・ＰＤＳＣＨ（Physical Downlink Shared Channel）
【００３７】
ｅＮＢが送信するＰＤＣＣＨを、ＬＴＥ−ＰＤＣＣＨ、または、第１のＰＤＣＣＨと称する。ｇＮＢが送信するＰＤＣＣＨを、ＮＲ−ＰＤＣＣＨ、または、第２のＰＤＣＣＨと称する。ｅＮＢが送信するＰＤＳＣＨを、ＬＴＥ−ＰＤＳＣＨ、または、第１のＰＤＳＣＨと称する。ｇＮＢが送信するＰＤＳＣＨを、ＮＲ−ＰＤＳＣＨ、または、第２のＰＤＳＣＨと称する。ＬＴＥ−ＰＤＣＣＨは、ＥＰＤＣＣＨ（Enhanced Physical Downlink Control Channel）、ｓＰＤＳＣＨ（short Physical Downlink Control Channel）を含んで
もよい。
【００３８】
第１のＰＤＣＣＨは、第１のＰＤＳＣＨのスケジューリングのために用いられる下りリンク制御情報（Downlink Control Information: DCI）、および、第１のＰＵＳＣＨ（NR Physical Uplink Shared Channel）のスケジューリングのために用いられる下りリンク制御情報を送信するために用いられる。第２のＰＤＣＣＨは、第２のＰＤＳＣＨのスケジューリングのために用いられる下りリンク制御情報、および、第２のＰＵＳＣＨのスケジュ
ーリングのために用いられる下りリンク制御情報を送信するために用いられる。
【００３９】
ｅＮＢは第１の符号化方式によって下りリンク制御情報を符号化してもよい。すなわち、ｅＮＢは第１のＰＤＣＣＨで送信される下りリンク制御情報を第１の符号化方式によって符号化してもよい。ｇＮＢは第１の符号化方式とは異なる第２の符号化方式によって下りリンク制御情報を符号化してもよい。すなわち、ｇＮＢは第２のＰＤＣＣＨで送信される下りリンク制御情報を第２の符号化方式によって符号化してもよい。第１の符号化方式は畳み込み符号化であってもよい。第２の符号化方式はポーラー符号化であってもよい。
【００４０】
ＰＤＳＣＨは、下りリンクデータ（Downlink Shared Channel: DL-SCH）を送信するた
めに用いられる。端末装置１は、下りリンク制御情報を含むＰＤＣＣＨの受信／検出に基づいて、ＰＤＳＣＨをデコードしてもよい。
【００４１】
図１において、ｅＮＢから端末装置１への上りリンク２Ａの無線通信では、以下の上りリンク物理チャネルが用いられる。図１において、ｇＮＢから端末装置１への上りリンク２Ｂの無線通信では、以下の上りリンク物理チャネルが用いられる。上りリンク物理チャネルは、上位層から出力された情報を送信するために、物理層によって使用される。
・ＰＲＡＣＨ（Physical Random Access Channel）
・ＰＵＣＣＨ（Physical Uplink Control Channel）
・ＰＵＳＣＨ（Physical Uplink Shared Channel）
【００４２】
端末装置１がｅＮＢへ送信するＰＲＡＣＨを、ＬＴＥ−ＰＲＡＣＨ、または、第１のＰＲＡＣＨと称する。端末装置１がｇＮＢへ送信するＰＲＡＣＨを、ＮＲ−ＰＲＡＣＨ、または、第２のＰＲＡＣＨと称する。端末装置１がｅＮＢへ送信するＰＵＣＣＨを、ＬＴＥ−ＰＵＣＣＨ、または、第１のＰＵＣＣＨと称する。端末装置１がｇＮＢへ送信するＰＵＣＣＨを、ＮＲ−ＰＵＣＣＨ、または、第２のＰＵＣＣＨと称する。端末装置１がｅＮＢへ送信するＰＵＳＣＨを、ＬＴＥ−ＰＵＳＣＨ、または、第１のＰＵＳＣＨと称する。端末装置１がｇＮＢへ送信するＰＵＳＣＨを、ＮＲ−ＰＵＳＣＨ、または、第２のＰＵＳＣＨと称する。
【００４３】
ＰＲＡＣＨは、プリアンブル（プリアンブル系列）を伝送するために用いられる。ＰＲＡＣＨは、ランダムアクセスプロシージャのために用いられてもよい。
【００４４】
ＰＵＣＣＨは、上りリンク制御情報を送信するために用いられてもよい。上りリンク制御情報は、ＨＡＲＱ−ＡＣＫ（Hybrid Automatic Repeat reQuest ACKnowledgement）、
チャネル状態情報、および、スケジューリングリクエストを含んでもよい。該ＨＡＲＱ−ＡＣＫは、ＰＤＳＣＨ（下りリンクデータ）に対応し、且つ、ＡＣＫ（Acknowledgement
）またはＮＡＣＫ（Negative Acknowledgement）を示す。チャネル状態情報は、受信された信号、および／または、チャネルに基づいて生成される。ＬＴＥ−ＰＵＣＣＨで送信されるスケジューリングリクエストは、ＬＴＥ−ＰＵＳＣＨ（上りリンクデータ）のリソースの割り当てを要求することを示す。ＮＲ−ＰＵＣＣＨで送信されるスケジューリングリクエストは、ＮＲ−ＰＵＳＣＨ（上りリンクデータ）のリソースの割り当てを要求することを示す。
【００４５】
ＰＵＳＣＨは、上りリンクデータ（Uplink Shared Channel: UL-SCH、トランスポート
ブロック）、および／または、上りリンク制御情報を送信するために用いられてもよい。
【００４６】
以下、本実施形態の端末装置１の装置構成について説明する。
【００４７】
図４は、本実施形態の端末装置１の構成を示す概略ブロック図である。図示するように
、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【００４８】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行なう。
【００４９】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００５０】
上位層処理部１０１が備えるスケジューリング部１０１３は、受信部１０５を介して受信した下りリンク制御情報に基づき、受信部１０５、および送信部１０７の制御を行なうために制御情報を生成し、制御部１０３に出力する。
【００５１】
送信電力制御部１０１５は、上りリンク物理チャネルの送信のための送信電力をセットする。送信電力制御部１０１５は、セットされた送信電力を用いて上りリンク物理チャネルを送信することを送信部１０７に指示する制御情報を生成し、制御部１０３に出力する。
【００５２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００５３】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００５４】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【００５５】
多重分離部１０５５は、抽出した信号を下りリンク物理チャネル、および、下りリンク物理シグナルに、それぞれ分離する。また、多重分離部１０５５は、測定部１０５９から入力された伝搬路の推定値から、下りリンク物理チャネルの伝搬路の補償を行なう。また、多重分離部１０５５は、分離した下りリンク参照シグナルを測定部１０５９に出力する。
【００５６】
復調部１０５３、および、復号化部１０５１は、下りリンク制御情の復号を行い、復号した下りリンクデータ（トランスポートブロック）を上位層処理部１０１へ出力する。報復調部１０５３、および、復号化部１０５１は、下りリンク制御情報で通知された符号化率に関する情報、および、下りリンク制御情報で通知された変調方式に基づいて下りリンクデータ（トランスポートブロック）の復号を行い、復号した下りリンクデータ（トランスポートブロック）を上位層処理部１０１へ出力する。
【００５７】
測定部１０５９は、多重分離部１０５５から入力された下りリンク物理シグナルから、下りリンクのパスロスの測定、チャネル測定、および／または、干渉測定を行う。測定部１０５９は、測定結果に基づいて算出したチャネル状態情報、および、測定結果を上位層処理部１０１へ出力する。また、測定部１０５９は、下りリンク物理シグナルから下りリンクの伝搬路の推定値を算出し、多重分離部１０５５へ出力する。
【００５８】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００５９】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ等の変調方式で変調する。
【００６０】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【００６１】
多重部１０７５は、ＰＵＳＣＨのスケジューリングに用いられる情報に基づき、空間多重されるＰＵＳＣＨのレイヤーの数を決定し、ＭＩＭＯ  ＳＭ（Multiple Input Multiple Output Spatial Multiplexing）を用いることにより同一のＰＵＳＣＨで送信される複
数の上りリンクデータを、複数のレイヤーにマッピングし、このレイヤーに対してプレコーディング（precoding）を行なう。
【００６２】
多重部１０７５は、制御部１０３から入力された制御信号に従って、ＰＵＳＣＨの変調シンボルを離散フーリエ変換（Discrete Fourier Transform: DFT）する。また、多重部
１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００６３】
無線送信部１０７７は、多重された信号を逆高速フーリエ変換（Inverse Fast Fourier
Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００６４】
以下、本実施形態の基地局装置３の装置構成について説明する。
【００６５】
図５は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、および、送信電力御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【００６６】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００６７】
上位層処理部３０１は、コアネットワーク装置３Ｂとメッセージの送受信を行う。上位層処理部３０１は、たの基地局装置３とメッセージの送受信を行う。他の基地局装置３は、マスターノード３Ｃおよびセカンダリーノード３Ｄを含んでもよい。
【００６８】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は、上位ノ
ードから取得し、送信部３０７に出力する。また、無線リソース制御部３０１１は、端末装置１各々の各種設定情報の管理をする。
【００６９】
上位層処理部３０１が備えるスケジューリング部３０１３は、受信したチャネル状態情報および測定部３０５９から入力された伝搬路の推定値やチャネルの品質などから、物理チャネル（ＮＲ−ＰＤＳＣＨおよびＮＲ−ＰＵＳＣＨ）を割り当てる周波数およびサブフレーム、物理チャネル（ＮＲ−ＰＤＳＣＨおよびＮＲ−ＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。スケジューリング部３０１３は、スケジューリング結果に基づき、物理チャネル（ＮＲ−ＰＤＳＣＨおよびＮＲ−ＰＵＳＣＨ）のスケジューリングに用いられる情報（例えば、下りリンク制御情報）を生成する。
【００７０】
上位層処理部３０１が備える送信電力制御部３０１５は、上りリンク物理チャネルの送信のための送信電力をセットするために用いられる送信電力制御情報（上位層のパラメータ、および／または、ＴＰＣコマンド）を生成する。送信電力制御部１０１５は、当該情報を送信することを送信部１０７に指示する制御情報を生成し、当該生成した制御情報と当該送信電力制御情報を制御部１０３に出力する。
【００７１】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００７２】
受信部３０５は、制御部３０３から入力された制御信号に従って、送受信アンテナ３０９を介して端末装置１から受信した受信信号を分離、復調、復号し、復号した情報を上位
層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００７３】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【００７４】
多重分離部１０５５は、無線受信部３０５７から入力された信号をＮＲ−ＰＵＣＣＨ、ＮＲ−ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、測定部３０５９から入力された伝搬路の推定値から、ＮＲ−ＰＵＣＣＨとＮＲ−ＰＵＳＣＨの伝搬路の補償を行なう。また、多重分離部３０５５は、分離した上りリンク参照信号を測定部３０５９に出力する。
【００７５】
復調部３０５３は、ＮＲ−ＰＵＳＣＨを逆離散フーリエ変換（Inverse Discrete Fourier Transform: IDFT）し、変調シンボルを取得し、ＮＲ−ＰＵＣＣＨとＮＲ−ＰＵＳＣＨの変調シンボルそれぞれに対して、ＢＰＳＫ（Binary Phase Shift Keying）、ＱＰＳＫ
、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＮＲ−ＰＵＳＣＨで送信された複数の上りリンクデータの変調シンボルを分離する。
【００７６】
復号化部３０５１は、ＮＲ−ＰＵＣＣＨとＮＲ−ＰＵＳＣＨから、上りリンクデータと上りリンク制御情報を取得し、上りリンクデータと上りリンク制御情報を上位層処理部１０１へ出力する。測定部３０９は、多重分離部３０５５から入力された上りリンク参照信号から伝搬路の推定値、チャネルの品質などを測定し、多重分離部３０５５および上位層処理部３０１に出力する。
【００７７】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＮＲ−ＰＤＣＣＨ、ＮＲ−ＰＤＳＣＨ、および下りリンク参照信号を多重して、送受信アンテナ３０９を介して端末装置１に信号を送信する。
【００７８】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ等の変調方式で変調する。
【００７９】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【００８０】
多重部３０７５は、空間多重されるＮＲ−ＰＤＳＣＨのレイヤーの数に応じて、１つの
ＮＲ−ＰＤＳＣＨで送信される１つまたは複数の下りリンクデータを、１つまたは複数のレイヤーにマッピングし、該１つまたは複数のレイヤーに対してプレコーディング（precoding）を行なう。多重部３７５は、下りリンク物理チャネルの信号と下りリンク参照信
号を送信アンテナポート毎に多重する。多重部３７５は、送信アンテナポート毎に、下りリンク物理チャネルの信号と下りリンク参照信号をリソースエレメントに配置する。
【００８１】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【００８２】
図４、および、図５における、部のそれぞれは、回路として構成されてもよい。例えば、送信部１０７は、送信回路１０７であってもよい。
【００８３】
以下、セカンダリーノードを追加するための手順について説明する。図６は、本実施形態におけるセカンダリーノードを追加するための手順の一例を示す図である。
【００８４】
セカンダリーノード３Ｄを追加するための手順は、マスターノード３Ｃによって開始される。セカンダリーノード３Ｄを追加するための手順は、セカンダリーノード３Ｄから端末装置１に無線リソースを提供するためにセカンダリーノード３ＤにＵＥコンテキスト（UE context）を確立するために用いられる。
【００８５】
６００において、端末装置１は、コネクション確立手順を実行し、マスターノード３Ｃとのコネクションを確立する。
【００８６】
６０２において、端末装置１は、ＵＥ能力情報６０３Ａと測定結果６０３Ｂをマスターノード３Ｃに送信する。ＵＥ能力情報６０３Ａは、端末装置１がサポートする機能を示す。測定結果６０３Ｂは、端末装置１が受信した信号を用いて測定した結果を示す。
【００８７】
６０４において、マスターノード３Ｃは、ＭＣＧのためのＲＲＣＣｏｎｎｅｃｔｉｏｎＲｅｃｏｎｆｉｇｕｒａｔｉｏｎメッセージ６０５を端末装置１に送信する。
【００８８】
６０６において、端末装置１は、ＲＲＣＣｏｎｎｅｃｔｉｏｎＲｅｃｏｎｆｉｇｕｒａｔｉｏｎメッセージ６０５に基づいてＭＣＧに対して新しい設定を適用し、マスターノード３ＣにＲＲＣＣｏｎｎｅｃｔｉｏｎＲｅｃｏｎｆｉｇｕｒａｔｉｏｎＣｏｍｐｌｅｔｅメッセージ６０７を送信する。
【００８９】
６０８において、マスターノード３Ｃは、無線リソースを割り当てることをセカンダリーノード３Ｄに要求することを決定し、さらに、追加要求メッセージ６０９をセカンダリーノード３Ｄに送信する。追加要求メッセージ６０９は、マスターノード３Ｃがセカンダリーノード３Ｄに要求するＳＣＧの設定、ＵＥ能力情報６０３Ａ、測定結果６０３Ｂ、ＲＲＣＣｏｎｎｅｃｔｉｏｎＲｅｃｏｎｆｉｇｕｒａｔｉｏｎメッセージ６０５、および、ＵＥ能力協調結果の一部、または、全部を少なくとも含んでもよい。
【００９０】
６１０において、セカンダリーノード３Ｄが無線リソースの要求を承認できる場合、セカンダリーノード３Ｃは無線リソースを割り当て、追加要求承認メッセージ６１１をマスターノード３Ｃに送信する。セカンダリーノード３Ｃは、測定結果６０３Ｂに基づいて、
ＳＣＧのプライマリーセカンダリーセルとＳＣＧのセカンダリーセルを決定してもよい。追加要求承認メッセージ６１１は、セカンダリーノードが提供する無線アクセス技術のＲＲＣ設定メッセージを含む。該ＲＲＣ設定メッセージは、ＳＣＧのためのＲＲＣＣｏｎｎｅｃｔｉｏｎＲｅｃｏｎｆｉｇｕｒａｔｉｏｎメッセージ６１３を含む。該ＲＲＣＣｏｎｎｅｃｔｉｏｎＲｅｃｏｎｆｉｇｕｒａｔｉｏｎメッセージ６１３は、該決定したプライマリーセカンダリーセルに関する設定と該決定したセカンダリーセルに関する設定を少なくとも含む。
【００９１】
６１２において、マスターノード３Ｃは、ＳＣＧのためのＲＲＣＣｏｎｎｅｃｔｉｏｎＲｅｃｏｎｆｉｇｕｒａｔｉｏｎメッセージ６１３を端末装置１に送信する。ここで、マスターノード３Ｃは、セカンダリーノードから受信したＲＲＣＣｏｎｎｅｃｔｉｏｎＲｅｃｏｎｆｉｇｕｒａｔｉｏｎメッセージ６１３を修正しない。
【００９２】
６１４において、端末装置１は、ＲＲＣＣｏｎｎｅｃｔｉｏｎＲｅｃｏｎｆｉｇｕｒａｔｉｏｎメッセージ６１３に基づいてＳＣＧに対して新しい設定を適用し、マスターノード３ＣにＲＲＣＣｏｎｎｅｃｔｉｏｎＲｅｃｏｎｆｉｇｕｒａｔｉｏｎＣｏｍｐｌｅｔｅメッセージ６１５を送信する。
【００９３】
６１７において、マスターノード３Ｃは、再設定完了メッセージ６１７の送信を介して、端末装置１がＲＲＣＣｏｎｎｅｃｔｉｏｎＲｅｃｏｎｆｉｇｕｒａｔｉｏｎメッセージ６１３に基づく再設定手順を成功裏に完了したことを通知する。
【００９４】
６１８において、端末装置１は、セカンダリーノード３Ｄのプライマリーセカンダリーセルとの同期を取得するために、ランダムアクセス手順６１９を開始する。
【００９５】
以下、ＰＤＣＣＨのモニタリングについて説明をする。
【００９６】
端末装置１はＰＤＣＣＨ候補のセットをモニタする。ＰＤＣＣＨ候補のセットをサーチスペースとも称する。サーチスペースはＵＥ固有サーチスペースであってもよい。ＰＤＣＣＨ候補はリソースエレメントのセットである。すなわち、ＰＤＣＣＨ候補は時間−周波数リソースである。ここで、モニタリングはＤＣＩフォーマットに応じてＰＤＣＣＨ候補セットにおけるＰＤＣＣＨのそれぞれのデコードを試みることを意味する。すなわち、モニタリングはＰＤＣＣＨ候補においてＤＣＩフォーマットを含むＰＤＣＣＨのデコードを試みることを意味する。
【００９７】
図７は、本実施形態におけるＰＤＣＣＨ候補のセットの一例を示す図である。ＥＵＴＲＡのサブフレーム７１０は第１のＰＤＣＣＨ候補のセット７００を含む。第１のＰＤＣＣＨ候補のセット７００は４つの第１のＰＤＣＣＨ候補７０１、７０２、７０３、７０４を含む。ＮＲのスロット７３０は第２のＰＤＣＣＨ候補のセット７２０を含む。第２のＰＤＣＣＨ候補のセット７２０は６つの第２のＰＤＣＣＨ候補７２１、７２２、７２３、７２４、７２５、７２６を含む。ｅＮＢは第１のＰＤＣＣＨ候補において第１のＤＣＩフォーマットを含む第１のＰＤＣＣＨを送信してもよい。ｇＮＢは第２のＰＤＣＣＨ候補において第２のＤＣＩフォーマットを含む第２のＰＤＣＣＨを送信してもよい。
【００９８】
端末装置１は、サブフレーム７１０において１つまたは複数の第１のＤＣＩフォーマットに応じて第１のＰＤＣＣＨ候補のセット７００をモニタしてもよい。端末装置１は、スロット７３０において１つまたは複数の第２のＤＣＩフォーマットに応じて第２のＰＤＣＣＨ候補のセット７２０をモニタしてもよい。端末装置１は、第１のＰＤＣＣＨ候補のセット７００と第２のＰＤＣＣＨ候補のセット７２０を同時にモニタしてもよい。
【００９９】
ブラインドデコーデョングの回数は、端末装置１がモニタするＰＤＣＣＨ候補の数、および、該ＰＤＣＣＨ候補が対応するＤＣＩフォーマットのペイロードサイズの数によって定義されてもよい。
【０１００】
第１のＰＤＣＣＨ候補のセットにおけるブラインドデコードの回数は、第１のＰＤＣＣＨ候補のセット７００に含まれる第１のＰＤＣＣＨ候補の数、および、モニタされる第１のＤＣＩフォーマットのペイロードサイズの数に少なくとも基づいて与えられてもよい。第１のＰＤＣＣＨ候補のセットにおけるブラインドデコードの回数は、第１のＰＤＣＣＨ候補のセット７００に含まれる第１のＰＤＣＣＨ候補の数、および、モニタされる第１のＤＣＩフォーマットのペイロードサイズの数に積によって与えられてもよい。
【０１０１】
第２のＰＤＣＣＨ候補のセットにおけるブラインドデコードの回数は、第２のＰＤＣＣＨ候補のセット７２０に含まれる第２のＰＤＣＣＨ候補の数、および、モニタされる第２のＤＣＩフォーマットのペイロードサイズの数に少なくとも基づいて与えられてもよい。第２のＰＤＣＣＨ候補のセットにおけるブラインドデコードの回数は、第２のＰＤＣＣＨ候補のセット７２０に含まれる第２のＰＤＣＣＨ候補の数、および、モニタされる第２のＤＣＩフォーマットのペイロードサイズの数に積によって与えられてもよい。
【０１０２】
例えば、端末装置１が第１のペイロードサイズのＤＣＩフォーマットと第２のペイロードサイズのＤＣＩフォーマットに応じて第１のＰＤＣＣＨ候補のセット７００において第１のＰＤＣＣＨのそれぞれのデコードを試みる場合、第１のＤＣＩフォーマットのペイロードサイズは２つである。例えば、端末装置１が第１のペイロードサイズのＤＣＩフォーマットのみに応じて第２のＰＤＣＣＨ候補のセット７２０において第２のＰＤＣＣＨのそれぞれのデコードを試みる場合、第２のＤＣＩフォーマットのペイロードサイズは１つである。
【０１０３】
６０２において端末装置１によって送信されるＵＥ能力情報６０３Ａは、以下の（ｉ）から（ｉｖ）の一部または全部を少なくとも示してもよい。例えば、以下の単位時間は、ＮＲの１スロット、ＬＴＥの１サブフレーム、１ミリ秒、または、１秒であってもよい。（ｉ）端末装置１によってサポートされる、ＥＵＴＲＡの１つのサブフレームにおける第１のＰＤＣＣＨ候補のセットにおけるブラインドデコードの最大数ＡＭＡＸ
（ｉｉ）端末装置１によってサポートされる、ＮＲの１つのスロットにおける第２のＰＤＣＣＨ候補のセットにおけるブラインドデコードの最大数ＢＭＡＸ
（ｉｉｉ）端末装置１によってサポートされる、ＥＵＴＲＡの１つのサブフレーム（例えば、１ミリ秒）における第１のＰＤＣＣＨ候補のセットにおけるブラインドデコードの最大数ＡとＮＲの１つのスロット（例えば、０．５ミリ秒または１ミリ秒）における第２のＰＤＣＣＨ候補のセットにおけるブラインドデコードの最大数Ｂの組み合わせ
（ｉｖ）端末装置１によってサポートされる、１つの単位時間における第１のＰＤＣＣＨ候補のセットにおけるブラインドデコードの最大数Ａと該１つの単位時間における第２のＰＤＣＣＨ候補のセットにおけるブラインドデコードの最大数Ｂの組み合わせ
【０１０４】
第１のＰＤＣＣＨ候補のセットにおける１回のブラインドデコードは、第２のＰＤＣＣＨ候補のセットにおけるＸ回のブラインドデコードに相当してもよい。すなわち、第２のＰＤＣＣＨ候補のセットにおける１回のブラインドデコードは、第１のＰＤＣＣＨ候補のセットにおけるＹ回のブラインドデコードに相当してもよい。ＸはＹによって与えられてもよい。ＸはＹ分の１であってもよい。すなわち、ＸはＹによって与えられてもよい。ここで、ＹはＸによって与えられてもよい。ＹはＸ分の１であってもよい。すなわち、ＹはＸによって与えられてもよい。Ｘは１であってもよい。Ｘは１ではなくてもよい。例えば、Ｘは１より小さく０より大きい値、または、１より大きい値であってもよい。Ｙは１であってもよい。Ｙは１ではなくてもよい。例えば、Ｙは１より小さく０より大きい値、ま
たは、１より大きい値であってもよい。ＸとＹの両方または一方は、仕様書などによって予め定義された値であってもよい。
【０１０５】
ＡＭＡＸはＢＭＡＸとＸに少なくとも基づいて与えられてもよい。ＢＭＡＸはＡＭＡＸとＸに少なくとも基づいて与えられてもよい。ＡＭＡＸは以下の数式（１）によって与えられてもよい。ＢＭＡＸは以下の数式（２）によって与えられてもよい。以下の数式（１）から数式（１４）における床関数は、天井関数、または、整数を出力するＲＯＵＮＤ関数であってもよい。
【０１０６】
【数１】
2019047412.tif 000003
【数２】
2019047412.tif 000004
【０１０７】
１つの単位時間における最大数Ｂが増加すると、該単位時間における最大数Ａは減少する。１つの単位時間における最大数Ｂが減少すると、該単位時間における最大数Ａは増加する。ＡＭＡＸはＢが０である場合のＡと同じでもよい。ＢＭＡＸはＡが０である場合のＢと同じでもよい。ＡはＡＭＡＸとＢとＸに少なくとも基づいて与えられてもよい。ＢはＢＭＡＸとＡとＸに少なくとも基づいて与えられてもよい。Ａは以下の数式（３）から数式（５）の何れかによって与えられてもよい。Ｂは以下の数式（６）から数式（８）の何れかによって与えられてもよい。
【０１０８】
【数３】
2019047412.tif 000005
【数４】
2019047412.tif 000006
【数５】
2019047412.tif 000007
【数６】
2019047412.tif 000008
【数７】
2019047412.tif 000009
【数８】
2019047412.tif 000010
【０１０９】
ＡＭＡＸは、端末装置１がｅＮＢとのみ通信することが想定された場合（non-dual con
nectivity）の、１つの単位時間、または、ＥＵＴＲＡの１つのサブフレームにおける第
１のＰＤＣＣＨ候補のセットにおけるブラインドデコードの最大数を示してもよい。ＢＭＡＸは、端末装置１がｇＮＢとのみ通信することが想定された場合（non-dual connectivity）の、１つの単位時間、または、ＮＲの１つのスロットにおける第２のＰＤＣＣＨ候
補のセットにおけるブラインドデコードの最大数を示してもよい。Ａは、端末装置１がｅＮＢおよびｇＮＢと通信することが想定された場合（dual connectivity）の、１つの単
位時間における第１のＰＤＣＣＨ候補のセットにおけるブラインドデコードの最大数を示してもよい。Ｂは、端末装置１がｅＮＢおよびｇＮＢと通信することが想定された場合（dual connectivity）の、１つの単位時間における第２のＰＤＣＣＨ候補のセットにおけ
るブラインドデコードの最大数を示してもよい。
【０１１０】
例えば、端末装置１はＡＭＡＸを示すＵＥ能力情報６０３Ａをマスターノード３Ｃに送信してもよい。ここで、該ＡＭＡＸはマスターノード３ＣによってＢＭＡＸを導き出すために用いられてもよい。ここで、該ＡＭＡＸはマスターノード３ＣによってＡとＢの組み合わせを導き出すために用いられてもよい。すなわち、ＡＭＡＸを示すＵＥ能力情報４０３Ａは、マスターノード３ＣにＡとＢの組み合わせ、および、ＢＭＡＸを示すために用いられる。
【０１１１】
例えば、端末装置１はＢＭＡＸを示すＵＥ能力情報４０３Ａをマスターノード３Ｃに送信してもよい。ここで、該ＢＭＡＸはマスターノード３ＣによってＡＭＡＸを導き出すために用いられてもよい。ここで、該ＢＭＡＸはマスターノード３ＣによってＡとＢの組み合わせを導き出すために用いられてもよい。すなわち、ＢＭＡＸを示すＵＥ能力情報４０３Ａは、マスターノード３ＣにＡとＢの組み合わせ、および、ＡＭＡＸを示すために用いられる。
【０１１２】
以下、ＰＤＣＣＨ候補のセットの設定方法について説明する。
【０１１３】
マスターノード３ＣがｅＮＢである場合、マスターノード３Ｃは、端末装置１がモニタする第１のＰＤＣＣＨ候補のセット７００に含まれる第１のＰＤＣＣＨ候補の数を制御するためのパラメータLTE-pdcch-Candidateを含むＲＲＣＣｏｎｎｅｃｔｉｏｎＲｅｃｏｎ
ｆｉｇｕｒａｔｉｏｎメッセージ６０５を、端末装置１に送信してもよい。
【０１１４】
マスターノード３ＣがｅＮＢである場合、マスターノード３Ｃは、端末装置１が第１のＰＤＣＣＨ候補のセット７００においてモニタする第１のＤＣＩフォーマットを制御するためのパラメータLTE-dci-Formatを、端末装置１に送信してもよい。パラメータLTE-dci-Formatは、ＲＲＣＣｏｎｎｅｃｔｉｏｎＲｅｃｏｎｆｉｇｕｒａｔｉｏｎメッセージ６０５に含まれてもよい。
【０１１５】
マスターノード３ＣがｅＮＢである場合、マスターノード３Ｃは、ＥＵＴＲＡの１つのサブフレームにおける第１のＰＤＣＣＨ候補のセットにおけるブラインドデコードの回数がＡＭＡＸを超えないように、パラメータLTE-pdcch-Candidateおよび／またはパラメー
タLTE-dci-Formatをセットしてもよい。
【０１１６】
マスターノード３ＣがｇＮＢである場合、マスターノード３Ｃは、端末装置１がモニタする第２のＰＤＣＣＨ候補のセット７２０に含まれる第２のＰＤＣＣＨ候補の数を制御するためのパラメータNR-pdcch-Candidateを含むＲＲＣＣｏｎｎｅｃｔｉｏｎＲｅｃｏｎｆｉｇｕｒａｔｉｏｎメッセージ６０５を、端末装置１に送信してもよい。
【０１１７】
マスターノード３ＣがｇＮＢである場合、マスターノード３Ｃは、端末装置１が第２のＰＤＣＣＨ候補のセット７２０においてモニタする第２のＤＣＩフォーマットを制御する
ためのパラメータNR-dci-Formatを含むＲＲＣＣｏｎｎｅｃｔｉｏｎＲｅｃｏｎｆｉｇｕ
ｒａｔｉｏｎメッセージ６０５を、端末装置１に送信してもよい。
【０１１８】
マスターノード３ＣがｅＮＢである場合、マスターノード３Ｃは、ＮＲの１つのスロットにおける第１のＰＤＣＣＨ候補のセットにおけるブラインドデコードの回数がＢＭＡＸを超えないように、パラメータNR-pdcch-Candidateおよび／またはパラメータNR-dci-Formatをセットしてもよい。
【０１１９】
マスターノード３ＣがｅＮＢであり、且つ、セカンダリーノード３ＤがｇＮＢである場合、セカンダリーノード３Ｄは追加要求承認に含まれるＲＲＣＣｏｎｎｅｃｔｉｏｎＲｅｃｏｎｆｉｇｕｒａｔｉｏｎメッセージ６１３に、パラメータNR-pdcch-CandidateとパラメータNR-dci-Formatの両方または一方を含めてもよい。ここで、セカンダリーノード３
Ｄは、ＵＥ能力情報６０３Ａおよび／またはＲＲＣＣｏｎｎｅｃｔｉｏｎＲｅｃｏｎｆｉｇｕｒａｔｉｏｎメッセージ６０５（パラメータLTE-pdcch-Candidate、パラメータLTE-dci-Formatなど）に基づいて、単位時間またはＥＵＴＲＡの１つのサブフレームにおける
第１のＰＤＣＣＨ候補のセットにおけるブラインドデコードの回数Ａａｃｔｕａｌを取得してもよい。ここで、セカンダリーノード３Ｄは、取得したＡａｃｔｕａｌと上記の（ｉｉｉ）（ｉｖ）の一部または全部に基づいて、単位時間またはＮＲの１つのスロットにおける第２のＰＤＣＣＨ候補のセットにおけるブラインドデコードの回数ＢａｃｔｕａｌがＢＭＡＸ＿ａｃｔを超えないようにパラメータLTE-pdcch-Candidateおよび／またはパラ
メータLTE-dci-Formatをセットしてもよい。ＢＭＡＸ＿ａｃｔはＢＭＡＸとＡａｃｔｕａｌとＸに少なくとも基づいて与えられてもよい。ＢＭＡＸ＿ａｃｔは、以下の数式（９）から（１１）の何れかによって与えられてもよい。
【０１２０】
【数９】
2019047412.tif 000011
【数１０】
2019047412.tif 000012
【数１１】
2019047412.tif 000013
【０１２１】
マスターノード３ＣがｇＮＢであり、且つ、セカンダリーノード３ＤがｅＮＢである場合、セカンダリーノード３Ｄは追加要求承認に含まれるＲＲＣＣｏｎｎｅｃｔｉｏｎＲｅｃｏｎｆｉｇｕｒａｔｉｏｎメッセージ６１３に、パラメータLTE-pdcch-Candidateとパ
ラメータLTE-dci-Formatの両方または一方を含めてもよい。ここで、セカンダリーノード３Ｄは、ＵＥ能力情報６０３Ａおよび／またはＲＲＣＣｏｎｎｅｃｔｉｏｎＲｅｃｏｎｆｉｇｕｒａｔｉｏｎメッセージ６０５（パラメータNR-pdcch-Candidate、パラメータNR-dci-Formatなど）に基づいて、単位時間またはＮＲの１つのスロットにおける第２のＰＤ
ＣＣＨ候補のセットにおけるブラインドデコードの回数Ｂａｃｔｕａｌを取得してもよい。ここで、セカンダリーノード３Ｄは、取得したＢａｃｔｕａｌと上記の（ｉｉｉ）（ｉｖ）の一部または全部に基づいて、単位時間またはＥＵＴＲＡの１つのサブフレームにおける第１のＰＤＣＣＨ候補のセットにおけるブラインドデコードの回数ＡａｃｔｕａｌがＡＭＡＸ＿ａｃｔを超えないようにパラメータLTE-pdcch-Candidateおよび／またはパラ
メータLTE-dci-Formatをセットしてもよい。ＡＭＡＸ＿ａｃｔはＡＭＡＸとＢａｃｔｕａ
ｌとＸに少なくとも基づいて与えられてもよい。ＡＭＡＸ＿ａｃｔは、以下の数式（１２）から（１４）の何れかによって与えられてもよい。
【０１２２】
【数１２】
2019047412.tif 000014
【数１３】
2019047412.tif 000015
【数１４】
2019047412.tif 000016
【０１２３】
以下、本実施形態における、端末装置１および基地局装置３の種々の態様について説明する。
【０１２４】
（１）本実施形態の第１の態様は、端末装置１であって、ＥＵＴＲＡの１つのサブフレームにおける第１のＰＤＣＣＨ候補のセットとＮＲの１つのスロットにおける第２のＰＤＣＣＨ候補のセットをモニタする受信部と、ＵＥ能力情報を送信する送信部と、を備え、前記ＵＥ能力情報は、端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【０１２５】
（２）本実施形態の第２の態様は、基地局装置３であって、ＮＲの１つのスロットにおける第２のＰＤＣＣＨ候補のセットにおいて第２のＰＤＣＣＨを送信する他の基地局装置と接続されている基地局装置であって、ＥＵＴＲＡの１つのサブフレームにおける第１のＰＤＣＣＨ候補のセットにおいて第１のＰＤＣＣＨを端末装置に送信する送信部と、前記端末装置からＵＥ能力情報を受信する受信部と、を備え、前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【０１２６】
（３）本実施形態の第３の態様は、基地局装置３であって、ＥＵＴＲＡの１つのサブフレームにおける第１のＰＤＣＣＨ候補のセットにおいて第１のＰＤＣＣＨを端末装置に送信し、ＮＲの１つのスロットにおける第２のＰＤＣＣＨ候補のセットにおいて第２のＰＤＣＣＨを端末装置に送信する送信部と、前記端末装置からＵＥ能力情報を受信する受信部と、を備え、前記ＵＥ能力情報は、前記端末装置によってサポートされる、前記第１のＰＤＣＣＨ候補のセットにおけるブラインドデコードの最大数Ａと前記第２のＰＤＣＣＨ候補のセットにおけるブラインドデコードの最大数Ｂの組み合わせを少なくとも示す。
【０１２７】
これにより、端末装置１と基地局装置３との間において、情報が効率的に伝送される。
【０１２８】
本実施形態に関わる基地局装置３は、複数の装置（例えば、マスターノード３Ｃとセカンダリーノード３Ｄなど）から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上
述した実施形態に関わる端末装置１は、集合体としての基地局装置と通信することも可能である。
【０１２９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１３０】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１３１】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１３２】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１３３】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１３４】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１３６】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
１０１５  送信電力制御部
３０１１  無線リソース制御部
３０１３  スケジューリング部
３０１５  送信電力制御部
【図１】
2019047412.tif 000017
【図２】
2019047412.tif 000018
【図３】
2019047412.tif 000019
【図４】
2019047412.tif 000020
【図５】
2019047412.tif 000021
【図６】
2019047412.tif 000022
【図７】
2019047412.tif 000023